(57)【要約】【課題】日板の停止位置を容易に調整可能な位置決め機構、および位置決め機構を有する時計を提供する。【解決手段】時計１は、十位日板を駆動する十位日車２５１と、基端部が日車案内板２１２に対して回動可能に保持され、自由端が前記十位日車２５１に対して接離可能に設けられるとともに、前記自由端に前記十位日車２５１に係合可能な十位ジャンパ切り替え部２５２Ｃ、および十位ジャンパ切り替え部２５２Ｃを十位日車２５１側に付勢する十位ジャンパバネ部２５２Ｂを有する十位ジャンパ２５２と、十位ジャンパ切り替え部２５２Ｃおよび十位日車２５１の係合位置を調整する十位ジャンパ軸部２５１Ａとを備えた。【選択図】図５
2010223668.tif 000002
【特許請求の範囲】
【請求項１】
回転体を有する時計の前記回転体を所定の停止位置に位置決めする位置決め機構であっ
て、
前記回転体を駆動する駆動歯車と、
基端部が台座部に対して回動可能に保持され、自由端が前記駆動歯車に対して接離可能
に設けられるとともに、前記自由端に前記駆動歯車を係合可能な係止部を有するジャンパ
と、
前記係止部を前記駆動歯車側に付勢する付勢手段と、
前記係止部および前記駆動歯車の係合位置を調整する係合位置調整手段と、
を具備したことを特徴とする位置決め機構。
【請求項２】
請求項１に記載の位置決め機構において、
前記係合位置調整手段は、前記ジャンパを前記台座部に保持する保持手段であり、
前記保持手段は、前記台座部に保持される第一軸部と、前記ジャンパを回転可能に保持
する第二軸部と、を備えるともに、前記第二軸部が、前記第一軸部に対して偏心する
ことを特徴とする位置決め機構。
【請求項３】
請求項２に記載の位置決め機構において、
前記台座部は、少なくとも３点以上の支持点により前記第一軸部の周部を保持する保持
孔を備えた
ことを特徴とする位置決め機構。
【請求項４】
請求項１に記載の位置決め機構において、
前記係合位置調整手段は、前記台座部を第二台座部に保持する保持手段であり、
前記台座部は、前記第二台座部に対して所定方向に沿って進退可能に設けられるととも
に、前記保持手段を係合する係合孔、および前記所定方向に沿って形成され、前記第二台
座部に設けられる案内突部が係合される案内溝を備え、
前記保持手段は、前記第二台座部に保持される第一軸部と、前記係合孔に係合される第
二軸部と、を備えるともに、前記第二軸部が、前記第一軸部に対して偏心する
ことを特徴とする位置決め機構。
【請求項５】
請求項４に記載の位置決め機構において、
前記第二台座部は、少なくとも３点以上の支持点により前記第一軸部の周部を保持する
保持孔を備えた
ことを特徴とする位置決め機構。
【請求項６】
請求項１ないし請求項５のいずれかに記載の位置決め機構において、
前記回転体は、表面に日付表示用の数字目盛が配設される日板であり、
前記位置決め機構は、前記日板を所定位置に位置決めする日付駆動機構である
ことを特徴とする位置決め機構。
【請求項７】
所定の情報を表示させる表示窓を有する文字板と、文字板の表示窓に表示させる情報が
配設される回転体と、前記情報が前記表示窓から表示させる状態に前記回転体を位置決め
する位置決め機構と、を備えた時計であって、
前記位置決め機構は、
前記回転体を駆動する駆動歯車と、
基端部が台座部に対して回動可能に保持され、自由端が前記駆動歯車に対して接離可能
に設けられるとともに、前記自由端に前記駆動歯車を係合可能な係止部を有するジャンパ
と、
前記係止部を前記駆動歯車側に付勢する付勢手段と、
前記係止部および前記駆動歯車の係合位置を調整する係合位置調整手段と、
を備えたことを特徴とする時計。
【請求項８】
請求項７に記載の時計において、
前記文字板は、日付の十位の数字を表示させる十位日付表示孔、および日付の一位の数
字を表示させる一位日付表示孔を備え、
前記回転体は、前記一位日付表示孔から表示させる一位の数字に対応する一位目盛が配
設される一位日板、および前記十位日付表示孔から表示される十位の数字に対応する十位
目盛が配設される十位日板であり、
前記駆動歯車は、前記一位日板を駆動させる一位日付駆動歯車、および前記十位日板を
駆動させる十位日付駆動歯車であり、
前記ジャンパは、前記一位日付駆動歯車に係合可能な一位係止部を有する一位ジャンパ
、および前記十位日付駆動歯車に係合可能な十位係止部を有する十位ジャンパであり、
前記付勢手段は、前記一位係止部を前記一位日付駆動歯車側に付勢する一位付勢手段、
および前記十位係止部を前記十位日付駆動歯車側に付勢する十位付勢手段であり、
係合位置調整手段は、前記一位係止部と前記一位日付駆動歯車との係合位置、および前
記十位係止部と前記十位日付駆動歯車との係合位置のうち、少なくともいずれか一方の係
合位置を調整する
ことを特徴とする時計。
【発明の詳細な説明】
【技術分野】
【０００１】
本発明は、回転体を所定位置に位置決めする位置決め機構、およびこの位置決め機構を
備えた時計に関する。
【背景技術】
【０００２】
従来、腕時計などの小型時計において、文字板に日付を表示させる機構が設けられた時
計が知られている。また、このような時計において、時計の外周縁に沿って１日から３１
日までの数字が表示される日付表示板を、１ヶ月で１回転させる構成では、日付として表
示される数字が小さくなるため、日付の一位と十位とを別々に表示させる構成が知られて
いる（例えば、特許文献１参照）。
【０００３】
この特許文献１に記載の時計は、１日毎に１段階進むように構成されるとともに、０〜
９までの数字が表示される１位表示部材と、１０日毎に１段階進むように構成されるとと
もに、０〜３の数字が表示される１０位表示部材とを組み合わせて、１〜３１日の日付を
表示させる装置である。
【先行技術文献】
【特許文献】
【０００４】
【特許文献１】特開２０００−６５９５７号公報
【発明の概要】
【発明が解決しようとする課題】
【０００５】
ところで、上記特許文献１に示すように、一位数字と十位数字とを別の日車により表示
させる時計では、一位表示窓から表示される一位数字と十位表示窓から表示される十位数
字との相対位置がずれる場合がある。すなわち、一位数字と十位数字とが水平方向に沿っ
て配列されて日付を表示させる時計では、一位数字および十位数字のうちいずれか一方が
、垂直方向にずれる場合がある。このような場合、時計の持つ高級感が阻害され、ユーザ
ーに不快感を与えるという問題がある。
このような問題を解決するために、各日車の位置決めを行うジャンパの形状を例えば切
削するなどすることで微調整したり、１位表示部材や１０位表示部材などの日車を駆動さ
せる駆動歯車と、日車との位置関係を微調整したりする方法がある。しかしながら、前者
では、切削などの加工作業を行うことは煩雑で、製造工程が増大するという問題があり、
後者では、駆動歯車に日車が例えば接着や溶着により固定されている場合、駆動歯車と日
車が一体形成されている場合では調整できないという問題がある。
【０００６】
本発明では、上記のような問題に鑑みて、回転体が位置決めされる位置（停止位置）を
容易に調整可能な位置決め機構、および位置決め機構を有する時計を提供することを目的
とする。
【課題を解決するための手段】
【０００７】
本発明の位置決め機構は、回転体を有する時計の前記回転体を所定の停止位置に位置決
めする位置決め機構であって、前記回転体を駆動する駆動歯車と、基端部が台座部に対し
て回動可能に保持され、自由端が前記駆動歯車に対して接離可能に設けられるとともに、
前記自由端に前記駆動歯車を係合可能な係止部を有するジャンパと、前記係止部を前記駆
動歯車側に付勢する付勢手段と、前記係止部および前記駆動歯車の係合位置を調整する係
合位置調整手段と、を具備したことを特徴とする。
【０００８】
この発明では、位置決め機構は、駆動歯車と、ジャンパと、回転体を駆動させる駆動歯
車にジャンパの係止部が係合されることで、駆動歯車および回転体を回転させる。また、
係合部にはジャンパが所定の係止位置に係止されることで、駆動歯車に駆動トルクを持た
せることが可能であり、例えば、日付が変わった瞬間に、回転体を所定角度だけ、一度に
動かすことができる。
また、本発明では、係合位置調整手段によりジャンパの係止部と駆動歯車との当接位置
を調整することが可能となり、回転体の停止位置も調整できる。ここで、駆動歯車と係止
部との係合位置を微調整することで回転体が位置決めされる停止位置を微調整するため、
例えば係止部を加工するなどの煩雑な作業が不要で、容易に回転体の停止位置の調整を実
施することができる。
【０００９】
本発明の位置決め機構では、前記係合位置調整手段は、前記ジャンパを前記台座部に保
持する保持手段であり、前記保持手段は、前記台座部に保持される第一軸部と、前記ジャ
ンパを回転可能に保持する第二軸部と、を備えるともに、前記第二軸部が、前記第一軸部
に対して偏心することが好ましい。
【００１０】
この発明では、係合位置調整手段は、ジャンパを台座部に保持する保持手段により構成
され、この保持手段は、台座部に保持される第一軸部と、ジャンパの基端部を回転可能に
保持する第二軸部とを備えている。そして、第二軸部は第一軸部に対して偏心、すなわち
、第一軸部の軸中心と第二軸部の軸中心とが異なる位置に設けられている。これにより、
第一軸部を回転させることで、第二軸部も駆動歯車に対して接離移動する。したがって、
第二軸部に保持されるジャンパの基端部が駆動歯車に対して接離移動し、ジャンパの係止
部と駆動歯車との係合位置も移動する。すなわち、第一軸部を回転させるだけで、係止部
と駆動歯車の係合位置が適切となるように調整することができる。
【００１１】
本発明の位置決め機構では、前記台座部は、少なくとも３点以上の支持点により前記第
一軸部の周部を保持する保持孔を備えることが好ましい。
この発明では、第一軸部は、３点以上の支持点で点接触により台座部に保持されている
。すなわち、第一軸部の断面形状より僅かに小さく形成される保持孔に第一軸部を圧入し
た場合、ジャンパの係止部と駆動歯車との係合位置を調整する際、第一軸部を回転させる
ために大きなトルクが必要となり、係合位置の調整が煩雑となる。これに対して、第一軸
部を点接触により圧入保持する構成では、第一軸部を回転させるためのトルクを小さくで
き、かつ第一軸部を確実に台座部に保持することができる。したがって、係止部と駆動歯
車との係合位置の調整を小さいトルクで容易に実施することができる。
【００１２】
また、本発明の位置決め機構では、前記係合位置調整手段は、前記台座部を第二台座部
に保持する保持手段であり、前記台座部は、前記第二台座部に対して所定方向に沿って進
退可能に設けられるとともに、前記保持手段を係合する係合孔、および前記所定方向に沿
って形成され、前記第二台座部に設けられる案内突部が係合される案内溝を備え、前記保
持手段は、前記第二台座部に保持される第一軸部と、前記係合孔に係合される第二軸部と
、を備えるとともに、前記第二軸部が、前記第一軸部に対して偏心する構成としてもよい
。
【００１３】
この発明では、係合位置調整手段は、ジャンパが回動自在に保持される台座部を第二台
座部に保持する保持手段により構成され、この保持手段は、第二台座部に保持される第一
軸部と、台座部の係合孔に係合される第二軸部と、を備えている。そして、上記発明と同
様に、第二軸部は第一軸部に対して偏心、すなわち、第一軸部の軸中心と第二軸部の軸中
心とが異なる位置に設けられている。また、台座部は、移動方向に沿う案内溝を備え、こ
の案内溝に第二台座部から突設される案内突部が係合されている。ここで、台座部にジャ
ンパおよび駆動歯車の双方が回転可能に保持されている構成であってもよく、ジャンパお
よび駆動歯車のうちいずれか一方が台座部に保持されている構成であってもよい。
これにより、第一軸部を回転させることで、第二軸部が駆動歯車に対して接離移動し、
第二軸部の移動により台座部が案内溝に沿って移動する。ここで、台座部に駆動歯車およ
びジャンパの双方が回転可能に保持されている場合、駆動歯車に対する係止部の相対的な
係止位置は変化しないが、保持手段の回動により台座部自身が案内溝に沿って移動するた
め、時計全体から見ると、係止部と駆動歯車の係合位置が台座部の移動方向にずれ、回転
体の停止位置も台座部の移動方向に移動することとなる。一方、ジャンパおよび駆動歯車
のうちいずれか一方のみが台座部に保持されている場合、保持手段の回動により台座部が
移動すると、この台座部に保持されるジャンパおよび駆動歯車のうちいずれか一方も案内
溝に沿って移動する。このため、ジャンパの係止部と駆動歯車との係合位置が移動し、回
転体の停止位置を移動する。すなわち、上記発明と同様に、保持手段の回転量を調整する
だけで、容易に回転体の停止位置の調整を実施することができる。
【００１４】
また、本発明では、前記第二台座部は、少なくとも３点以上の支持点により前記第一軸
部の周部を保持する保持孔を備えることが好ましい。
【００１５】
この発明では、第一軸部は、３点以上の支持点で点接触により第二台座部に保持されて
いる。これにより、第一軸部を点接触により圧入保持する構成とするため、第一軸部を回
転させるためのトルクを小さくでき、かつ第一軸部を確実に第二台座部に保持することが
できる。したがって、係止部と駆動歯車との係合位置の調整を小さいトルクで容易に実施
することができる。
【００１６】
本発明の位置決め機構では、前記回転体は、表面に日付表示用の数字目盛が配設される
日板であり、前記位置決め機構は、前記日板を所定位置に位置決めする日付駆動機構であ
ることが好ましい。
表面に日付表示用の数字目盛が配設され、例えば文字板に形成される窓からこれらの数
字目盛のうちいずれか１つを表示させる日板では、一日につき一目盛だけ移動させること
が好ましい。この時、例えば２４時間を掛けて日板をゆっくり回転させた場合、数字目盛
間の空白部分が文字板の窓から表示される期間があり、日付が確認できない不都合がある
ため、通常、日板を一日につき一度、一目盛分だけ日板を駆動させるために、日付駆動機
構にジャンパを設ける構成とすることが好ましい。このような日付駆動機構において、上
述したように、ジャンパと駆動歯車との係合位置を調整する係合位置調整手段を設けるこ
とで、日板が回転した際に、数字目盛が文字板の窓内に正確に移動するように、容易に調
整することができる。
【００１７】
本発明の時計は、所定の情報を表示させる表示窓を有する文字板と、文字板の表示窓に
表示させる情報が配設される回転体と、前記情報が前記表示窓から表示させる状態に前記
回転体を位置決めする位置決め機構と、を備えた時計であって、前記位置決め機構は、前
記回転体を駆動する駆動歯車と、基端部が台座部に対して回動可能に保持され、自由端が
前記駆動歯車に対して接離可能に設けられるとともに、前記自由端に前記駆動歯車を係合
可能な係止部を有するジャンパと、前記係止部を前記駆動歯車側に付勢する付勢手段と、
前記係止部および前記駆動歯車の係合位置を調整する係合位置調整手段と、を備えること
を特徴とする。
【００１８】
この発明では、文字板に形成される表示窓から回転体に形成される情報を表示させ、こ
の情報が表示窓から正確に表示されるように位置決め機構により回転体を位置決めする時
計において、上記発明と同様の位置決め機構が設けられている。
これにより、簡単な構成で、かつ容易にジャンパの係止部と駆動歯車との係合位置の調
整を実施できる。したがって、容易に、情報が正確に表示窓から表示されるように、回転
体の位置調整を実施できる。
【００１９】
本発明の時計では、前記文字板は、日付の十位の数字を表示させる十位日付表示孔、お
よび日付の一位の数字を表示させる一位日付表示孔を備え、前記回転体は、前記一位日付
表示孔から表示させる一位の数字に対応する一位目盛が配設される一位日板、および前記
十位日付表示孔から表示される十位の数字に対応する十位目盛が配設される十位日板であ
り、前記駆動歯車は、前記一位日板を駆動させる一位日付駆動歯車、および前記十位日板
を駆動させる十位日付駆動歯車であり、前記ジャンパは、前記一位日付駆動歯車に係合可
能な一位係止部を有する一位ジャンパ、および前記十位日付駆動歯車に係合可能な十位係
止部を有する十位ジャンパであり、前記付勢手段は、前記一位係止部を前記一位日付駆動
歯車側に付勢する一位付勢手段、および前記十位係止部を前記十位日付駆動歯車側に付勢
する十位付勢手段であり、係合位置調整手段は、前記一位係止部と前記一位日付駆動歯車
との係合位置、および前記十位係止部と前記十位日付駆動歯車との係合位置のうち、少な
くともいずれか一方の係合位置を調整することが好ましい。
【００２０】
この発明では、時計は、文字板の一位日付表示孔から、一位日板の一位目盛を表示させ
るための一位日付駆動歯車、一位ジャンパ、一位付勢手段と、文字板の十位日付表示孔か
ら、十位日板の十位目盛を表示させるための十位日付駆動歯車、十位ジャンパ、十位付勢
手段と、を備えている。そして、係合位置調整手段は、一位ジャンパの一位係止部と一位
日付駆動歯車との係合位置、十位ジャンパの十位係止部と十位日付駆動歯車との係合位置
のうち、少なくともいずれか一方を調整する。
一般に、日付の一位数字と十位数字を異なる日板を用いて表示させる場合、それぞれの
桁の数字を大きく表示させることができるという利点があるが、上記したように、時計の
持つ高級感の維持や、良好な使用感のために、日付の一位数字と十位数字との位置ずれを
適切に補正する必要がある。これに対して、本発明では、係合位置調整手段により、一位
係止部と一位駆動歯車との係合位置、十位係止部と十位駆動歯車との係合位置を調整する
ことで、一位日板の一位目盛および十位日板の十位目盛の配置位置を適切に調整すること
ができる。なお、この調整では、一位係止部と一位駆動歯車との係合位置を調整して、一
位日板により表示される一位目盛を、十位目盛の位置に合わせるように係合位置調整手段
による調整を実施してもよく、十位係止部と十位駆動歯車との係合位置を調整して、十位
日板により表示される十位目盛を、一位目盛の位置に合わせるように係合位置調整手段に
よる調整を実施してもよい。また、一位係止部と一位駆動歯車との係合位置とを十位係止
部と十位駆動歯車との係合位置との双方を調節する構成としてもよく、この場合、例えば
、各桁の数字が一位表示孔、十位表示孔に対して正確に中心に表示されるように調整する
など、より精度の高い目盛位置の調整を実施することができる。
【図面の簡単な説明】
【００２１】
【図１】本発明の第一の実施の形態に係る時計の概略を示す全体図である。
【図２】前記第一の実施の形態の時計の内部において文字板を取り外した状態の概略構成を示す正面図である。
【図３】図２におけるIII-III’線を断面した断面図である。
【図４】「１」〜「２９」の日付が表示される状態における日付表示窓近傍を断面した断面図である。
【図５】前記第一の実施の形態の時計における十位日車駆動機構近傍を拡大した拡大図である。
【図６】図５における十位ジャンパの近傍を断面した断面図である。
【図７】第一軸部を保持する係止孔の構成を示す図である。
【図８】図２における一位ジャンパ近傍を拡大した拡大平面図である。
【図９】第二の実施の形態の時計における十位日車駆動機構近傍を拡大した拡大図である。
【発明を実施するための形態】
【００２２】
［第一の実施の形態］
以下、本発明の第一の実施の形態に係る時計を図面に基づいて説明する。
図１は、本発明の第一の実施の形態に係る時計の概略を示す全体図である。
図２は、この時計の内部において文字板を取り外した状態の概略構成を示す正面図であ
る。
図３は、図２におけるIII-III’線を断面した断面図である。
図４は、「１」〜「２９」の日付が表示される状態における日付表示窓近傍を断面した
断面図である。
【００２３】
［時計の構成］
図１において、時計１は、風防ガラス１２を有する外装ケース１１と、風防ガラス１２
から視認可能な文字板１３と、外装ケース１１に収納されるムーブメント１００（図２参
照）とを備えている。
文字板１３は、円盤状に形成されるとともに、外周縁に沿って、時分表示目盛１４が所
定間隔で配置されている。また、文字板１３には、日付を表示する日付表示窓１５が設け
られている。この日付表示窓１５は、日付の一の位を表示させる一位日付表示孔１６と、
日付の十の位を表示させる十位日付表示孔１７とを備えている。そして、これら一位日付
表示孔１６および十位日付表示孔１７は、図２に示すように、所定の間隔を開けて配置さ
れている。
【００２４】
ムーブメント１００は、図２に示すように、指針駆動軸１０１と、日付表示機構２００
と、図示しない指針駆動機構と、外装ケースの裏蓋側に対向して配置される図示しない駆
動モーターと、駆動電力を供給する図示しない電池と、時計１の全体の動作を制御する制
御回路部と、などを備えている。なお、本実施の形態では、電池から供給される電力を駆
動源とし、水晶振動子を有する発振回路から出力される周波数を利用して時計の動作制御
を実施するいわゆるクオーツ式時計を例示するが、これに限定されない。例えば、ゼンマ
イから出力される駆動力を用い、テンプなどにより構成される調速機構により時計動作を
制御する機械時計や、駆動モーターからの駆動力を用い、テンプなどにより構成される調
速機構により時計動作を制御する電子制御式機械時計など、他の駆動方式、時計制御方式
において、本発明を適用してもよい。
このムーブメント１００では、制御回路部から所定のパルス信号を駆動モーターに出力
し、駆動モーターでこのパルス信号に応じた駆動力を発生させる。そして、駆動モーター
にて発生した駆動力は、指針駆動機構に出力され、この指針駆動機構から指針駆動軸１０
１に伝達される。
指針駆動軸１０１は、図３に示すように、時針駆動軸１０２と、分針駆動軸１０３と、
秒針駆動軸１０４と、を有している。これらの時針駆動軸１０２、分針駆動軸１０３、お
よび秒針駆動軸１０４は、文字板１３と風防ガラス１２との間で、それぞれ時針１８、分
針１９、および秒針２０を保持している。そして、これら時針駆動軸１０２、分針駆動軸
１０３、および秒針駆動軸１０４は、指針駆動機構からの駆動力が伝達されることにより
回転駆動され、時針１８、分針１９、および秒針２０を所定の駆動間隔で駆動させる。
また、時針駆動軸１０２は、駆動モーターからの駆動力が伝達される時針駆動歯車１０
２Ａと、一位日付駆動機構２３０に駆動力を伝達する日付駆動伝達歯車１０２Ｂとを備え
ている。なお、本実施の形態では、時針駆動軸１０２は、１２時間で１回転、１日で２回
転するものとする。
【００２５】
［日付表示機構の構成］
次に、ムーブメント１００に組み込まれる日付表示機構２００について説明する。
日付表示機構２００は、図２および図３に示すように、ムーブメント１００の文字板１
３に対向する地板１１０（図３参照）上に配置されている。そして、この日付表示機構２
００は、カレンダー輪列受２１０（図３参照）と、本発明の回転体である一位日板２２０
と、本発明の位置決め機構である一位日付駆動機構２３０と、本発明の回転体である十位
日板２４０と、本発明の位置決め機構である十位日付駆動機構２５０と、を備えている。
【００２６】
カレンダー輪列受２１０は、地板１１０に立設される固定軸２１１（図２参照）に、地
板１１０と所定の間隔を開けて配置される略板状部材である。このカレンダー輪列受２１
０は、図３に示すように、文字板１３の地板１１０側に略密接して設けられており、文字
板１３の日付表示窓１５の一位日付表示孔１６および十位日付表示孔１７に対向する領域
は、少なくともこれら一位日付表示孔１６および十位日付表示孔１７以上の大きさの表示
孔２１３が形成されている。そして、このカレンダー輪列受２１０は、十位日板２４０お
よび十位日車２５１を回転可能に保持している。
【００２７】
〔一位日板および一位日付駆動機構の構成〕
一位日板２２０は、図２に示すように、ムーブメント１００の外周縁に沿う略円環状に
形成されるとともに、文字板１３に対向する面に、日付の一位の数字を示す一位目盛が複
数配置されている。具体的には、一位日板２２０には、一位日付表示孔１６に対向する円
環領域に３１個の一位目盛２２１が所定間隔おきに均等に配置されている。これらの一位
目盛２２１には、図２に示すように、時計回り方向に沿って順に、「１」から「９」まで
の上旬目盛２２１Ａ、続いて「０」から「９」までの中旬目盛２２１Ｂ、続いて「０」か
ら「９」までの下旬目盛２２１Ｃ、続いて数字が表示されていない２つの非表示目盛２２
１Ｄが連続して配置されている。
【００２８】
また、一位日板２２０は、指針駆動軸１０１側である内周面に沿って、５つの十位駆動
歯２２２が突出形成されている。具体的には、この十位駆動歯２２２は、それぞれ、一位
日板２２０の内周面における、上旬目盛２２１Ａの「１」と「２」との間、「２」と「３
」との間、中旬目盛２２１Ｂの「１」と「２」との間、下旬目盛２２１Ｃの「１」と「２
」との間、および非表示目盛２２１Ｄと上旬目盛２２１Ａの「１」との間に対応する位置
に設けられている。
そして、この一位日板２２０は、連結部材２２３により後述する一位日付駆動機構２３
０の一位日車２３２（本発明の一位日付駆動歯車を構成）に連結され、一位日車２３２と
連動してムーブメント１００の外周縁に沿って回転駆動する。
【００２９】
一位日付駆動機構２３０は、日回し車２３１と、本発明の一位日付駆動歯車を構成する
一位日車２３２と、一位ジャンパ２３３とを備えている。
日回し車２３１は、地板１１０から突出する軸に回転可能に保持されている。この日回
し車２３１は、時針駆動軸１０２の日付駆動伝達歯車１０２Ｂに噛合し、この日付駆動伝
達歯車１０２Ｂから駆動力が伝達されて回転駆動される。ここで、日回し車２３１は、日
付駆動伝達歯車１０２Ｂに対して１／２のギア比に設定されており、日付駆動伝達歯車１
０２Ｂが２回転する間に、この日回し車２３１は、１回転する。すなわち、日回し車２３
１は、２４時間で１回転する。
【００３０】
また、日回し車２３１の外周面に日付駆動伝達歯車１０２Ｂに噛合可能な歯を有し、こ
れらの歯のうち１本は、他の歯より外径側に突出する日車駆動歯２３１Ａを構成している
。この日車駆動歯２３１Ａは、一位日車２３２の内周面に設けられる一位駆動歯２３２Ａ
に噛合可能となっている。これにより、日回し車２３１は、回転中この日車駆動歯２３１
Ａが一位駆動歯２３２Ａに噛合した時のみ一位日車２３２を駆動させる。すなわち、日回
し車２３１は、２４時間に１回の頻度で一位日車２３２を一段階進ませる。
さらに、日回し車２３１は、日車駆動歯２３１Ａと、この日車駆動歯２３１Ａの反時計
回り方向で隣り合う歯との間から、日回し車２３１の外周縁に沿って時計回り方向に円弧
状となる切欠部２３１Ｂが形成されている。これにより、切欠部２３１Ｂより外周側で先
端に日車駆動歯２３１Ａが設けられる１片部が弾性を有し、例えば日付を手動にて修正す
る際などにおいて、過度の応力が日車駆動歯２３１Ａに加わった場合でも緩衝力が作用す
るため、日車駆動歯２３１Ａの破損などを防止することができる。
【００３１】
一位日車２３２は、ムーブメント１００の外周縁に沿って配置される円環状部材であり
、地板１１０に時針駆動軸１０２を中心軸として回転可能に保持されている。この一位日
車２３２は、時針駆動軸１０２からの径寸法が、時針駆動軸１０２から一位日板２２０ま
での径寸法と略同一に形成され、時計１の厚み方向において、一位日板２２０と重なる位
置に配設されている。そして、上記したように、一位日車２３２は、外周縁に外径方向に
突出する日板連結片２３２Ｂを備えている。これらの日板連結片２３２Ｂは、一位日車２
３２の外周縁に等間隔に３つ配設されている。そして、これらの日板連結片２３２Ｂの先
端部には連結部材２２３が固定され、この連結部材２２３を介して、一位日車２３２と一
位日板２２０とが連結されている。したがって、日回し車２３１の駆動力により一位日車
２３２が回転駆動すると、一位日板２２０も連動して回転駆動する。
【００３２】
また、一位日車２３２の内周面には、一位駆動歯２３２Ａが均等間隔で配設されている
。具体的には、一位日車２３２は、一位日板２２０の各一位目盛２２１間に対向する位置
にそれぞれ配置される３１個の一位駆動歯２３２Ａが配置されている。そして、一位日車
２３２は、日回し車２３１の日車駆動歯２３１Ａがこれらの一位駆動歯２３２Ａのうちい
ずれか１つに係合して回転駆動することにより、この一位駆動歯２３２Ａが押し出されて
、反時計回り方向に一つの一位駆動歯２３２Ａの間隔分だけ回転駆動する。これにより、
一位日板２２０も反時計回りに回動し、一位日付表示孔１６から表示される一位目盛が隣
り合う次の一位目盛に切り替わる。
【００３３】
一位ジャンパ２３３は、日付表示機構２００における十位日車２５１と重ならない位置
に設けられている。この一位ジャンパ２３３は、図２に示すように、長手状に形成され、
一端部（基端部）が、本発明の係合位置調整手段および保持手段である一位ジャンパ軸部
２３３Ａにより日車案内板２１２に回動自在に保持されている。
また、この一位ジャンパ２３３の一位ジャンパ軸部２３３Ａにより保持される基端部に
は、本発明の一位付勢手段を構成する一位ジャンパバネ部２３３Ｂが連続して形成されて
いる。この一位ジャンパバネ部２３３Ｂは、一位ジャンパ２３３の長手方向に延出すると
ともに、先端側がムーブメント１００の中心方向に湾曲して形成され、先端部が図示しな
い位置決め部に位置決めされている。これにより、一位ジャンパ２３３における、基端部
とは反対側となる先端部（自由端）は、外径側に付勢される。
そして、一位ジャンパ２３３の先端部には、一位日車２３２の一位駆動歯２３２Ａに対
向し、本発明の一位係止部を構成する一位ジャンパ切り替え部２３３Ｃが形成されている
。この一位ジャンパ切り替え部２３３Ｃは、中心部が一位日車２３２側に突出する突出部
２３３Ｄを有し、この突出部２３３Ｄから両端部に向かうに従って一位日車２３２から離
れる方向に傾斜するテーパ面２３３Ｅ，２３３Ｆが形成されている。これにより、一位日
車２３２が回動すると、一位駆動歯２３２Ａが一位ジャンパ切り替え部２３３Ｃのテーパ
面２３３Ｅを押し込み、一位ジャンパ切り替え部２３３Ｃが内径側に押し込まれる。そし
て、一位駆動歯２３２Ａが一位ジャンパ切り替え部２３３Ｃの突出部２３３Ｄと通過する
と、一位ジャンパバネ部２３３Ｂの付勢力により一位ジャンパ切り替え部２３３Ｃが外径
方向に押し出され、テーパ面２３３Ｆにより一位駆動歯２３２Ａを反時計回り方向に押し
出す。ここで、一位駆動歯２３２Ａが一位ジャンパ切り替え部２３３Ｃの突出部２３３Ｄ
を乗り越えるタイミングは、指針駆動機構により時分針１８，１９が０時０分の指針位置
に移動されるタイミングと一致するように適宜位置が調整されている。
また、本発明の保持手段を構成する一位ジャンパ軸部２３３Ａについての詳細な説明は
、十位日付駆動機構において同じく本発明の保持手段を構成する十位ジャンパ軸部２５２
Ａと共に、後述する。
【００３４】
〔十位日板および十位日付駆動機構の構成〕
十位日板２４０は、略円盤状に形成され、カレンダー輪列受２１０および地板１１０に
固定される日車案内板２１２間に設けられる十位日車軸２４１により回転可能に保持され
ている。この十位日板２４０は、図２に示すように、文字板１３に対向する面に、日付の
十位の数字、および月末日（「３０日」および「３１日」）の一位の数字を示す十位目盛
２４２が配置されている。
具体的には、十位日板２４０には、日付表示窓１５に対向する円環領域に５個の十位目
盛２４２が均等に配置されている。この十位目盛２４２は、通常十位目盛２４２Ａと、月
末十位目盛２４２Ｂとを備えている。
通常十位目盛２４２Ａは、十位日付表示孔１７に対向する領域に「０」、「１」、「２
」のいずれかが配置され、一位日付表示孔１６に対向する領域に一位表示孔２４３が形成
される目盛である。一方、月末十位目盛２４２Ｂは、十位日付表示孔１７に対向する領域
に「３」が配置され、一位日付表示孔１６に対向する領域に「０」または「１」が配置さ
れる目盛である。そして、十位日板２４０には、時計回り方向に沿って、通常十位目盛２
４２Ａ、月末十位目盛２４２Ｂの順に十位目盛２４２が配置され、さらに通常十位目盛２
４２Ａは、時計回り方向に沿って十位の数字が「０」、「１」、「２」となるように、月
末十位目盛２４２Ｂは、時計回り方向に沿って一位の数字が「０」、「１」となるように
配置されている。
【００３５】
十位日付駆動機構２５０は、本発明の十位日付駆動歯車を構成する十位日車２５１と、
十位ジャンパ２５２とを備えている。なお、図５に、図２における十位日車駆動機構の拡
大図を示す。
十位日車２５１は、十位日車２５１と同軸上、すなわち十位日車軸２４１に固定され、
十位日車２５１と連動して回転駆動する。この十位日車２５１には、図５に示すように、
外周面に５個の係合歯２５１Ａが周方向に均等に配置されている。これらの係合歯２５１
Ａは、それぞれ、一位日板２２０の十位駆動歯２２２に係合可能に設けられており、一位
日板２２０の回動により十位駆動歯２２２が係合歯２５１Ａに噛合することにより十位日
車２５１が回転駆動する。
【００３６】
ここで、一位日板２２０における上旬目盛２２１Ａの「２」と「３」との間に設けられ
る十位駆動歯２２２により、十位日車２５１が回動されるタイミングでは、一位日付表示
孔１６に対向して一位日板２２０の上旬目盛２２１Ａの「１」が移動し、日付表示窓１５
に対向して十位日板２４０の十位が「０」である通常十位目盛２４２Ａが移動する。した
がって、日付表示窓１５の十位日付表示孔１７には、十位日板２４０の「０」が表示され
、一位日付表示孔１６には、十位日板２４０の一位表示孔２４３が対向するため、一位日
板２２０の「１」が表示される。同様にして、一位日板２２０における中旬目盛２２１Ｂ
の「１」と「２」との間に設けられる十位駆動歯２２２により、十位日車２５１が回動さ
れるタイミングでは、日付表示窓１５の十位日付表示孔１７には、十位日板２４０の「１
」が表示され、一位日付表示孔１６には、一位日板２２０の「０」が表示される。また、
一位日板２２０における下旬目盛２２１Ｃの「１」と「２」との間に設けられる十位駆動
歯２２２により、十位日車２５１が回動されるタイミングでは、日付表示窓１５の十位日
付表示孔１７には、十位日板２４０の「２」が表示され、一位日付表示孔１６には、一位
日板２２０の「０」が表示される。
【００３７】
一方、一位日板２２０における非表示目盛２２１Ｄと上旬目盛２２１Ａの「１」との間
に設けられる十位駆動歯２２２により、十位日車２５１が回動されるタイミングでは、一
位日付表示孔１６に対向して一位日板２２０の非表示目盛２２１Ｄが移動し、日付表示窓
１５に対向して十位日板２４０の一位が「０」である月末十位目盛２４２Ｂが移動する。
したがって、日付表示窓１５の十位日付表示孔１７には、十位日板２４０の月末十位目盛
２４２Ｂの十位である「３」が表示され、一位日付表示孔１６には、十位日板２４０の月
末十位目盛２４２Ｂの一位である「１」が表示される。同様にして、一位日板２２０にお
ける上旬目盛２２１Ａの「１」と「２」との間に設けられる十位駆動歯２２２により、十
位日車２５１が回動されるタイミングでは、日付表示窓１５の十位日付表示孔１７には、
月末十位目盛２４２Ｂの十位である「３」が表示され、一位日付表示孔１６には、十位日
板２４０の月末十位目盛２４２Ｂの一位である「１」が表示される。
【００３８】
また、これら係合歯２５１Ａの先端部は、略平面状に形成されており、後述する十位ジ
ャンパ２５２の切り替えタイミングを調整している。
【００３９】
十位ジャンパ２５２は、日車案内板２１２上で、前記した十位日車２５１と同一平面上
に設けられている。この十位ジャンパ２５２は、一位ジャンパ２３３と同様に、長手状に
形成され、一端部が、本発明の係合位置調整手段および保持手段である十位ジャンパ軸部
２５２Ａにより台座部である日車案内板２１２に回動自在に保持されている。また、この
十位ジャンパ２５２の十位ジャンパ軸部２５２Ａにより保持される一端部（基端部）には
、十位付勢手段としての十位ジャンパバネ部２５２Ｂが連続して形成されている。この十
位ジャンパバネ部２５２Ｂは、十位ジャンパ２５２の長手方向に延出するとともに、先端
側がムーブメント１００の中心方向に湾曲して形成され、先端部が図示しない位置決め部
に位置決めされている。これにより、十位ジャンパ２５２における、基端部とは反対側と
なる先端部（自由端）は、外径側に付勢される。
【００４０】
そして、十位ジャンパ２５２の先端部には、十位日車２５１の係合歯２５１Ａに対向し
て、本発明の十位係止部である十位ジャンパ切り替え部２５２Ｃが形成されている。この
十位ジャンパ切り替え部２５２Ｃは、中心部が十位日車軸２４１側に突出する突出部２５
２Ｄを有し、この突出部２５２Ｄから両端部に向かうに従って十位日車２５１から離れる
方向に傾斜するテーパ面２５２Ｅ，２５２Ｆが形成されている。これにより、十位日車２
５１が回動すると、係合歯２５１Ａが十位ジャンパ切り替え部２５２Ｃのテーパ面２５２
Ｅを押し込み、十位ジャンパ切り替え部２５２Ｃが内径側に押し込まれる。また、係合歯
２５１Ａは、前記したように、先端部が平面状に形成されているため、十位ジャンパ切り
替え部２５２Ｃの突出部２５２Ｄは、この係合歯２５１Ａの先端の平面部に当接する。こ
の後、さらに十位日車２５１が回動され、十位ジャンパ切り替え部２５２Ｃの突出部２５
２Ｄが、係合歯２５１Ａの先端の平面部における端部を越えると、十位ジャンパバネ部２
５２Ｂの付勢力により十位ジャンパ切り替え部２５２Ｃが外径方向に押し出され、テーパ
面２５２Ｆにより係合歯２５１Ａを反時計回り方向に押し出す。ここで、係合歯２５１Ａ
が十位ジャンパ切り替え部２５２Ｃの突出部２５２Ｄにより押し出されるタイミングは、
一位ジャンパ２３３が一位ジャンパ切り替え部２３３Ｃにより一位駆動歯２３２Ａを押し
出すタイミングを略同時となるように、適宜係合歯２５１Ａの先端の平面部の寸法が設定
されている。
【００４１】
(一位ジャンパおよび十位ジャンパによる停止位置調整機構)
次に、上記した一位ジャンパ２３３および十位ジャンパ２５２において、保持手段であ
る一位ジャンパ軸部２３３Ａ、および十位ジャンパ軸部２５２Ａについて、図面に基づい
て詳細に説明する。
図６は、図５における十位ジャンパ２５２の近傍を断面した断面図である。
図６に示すように、十位ジャンパ２５２の十位ジャンパ軸部２５２Ａは、第一軸部２６
１と、第二軸部２６２と、第一軸部２６１および第二軸部２６２を連結する連結板２６３
とを備え、これらの第一軸部２６１、第二軸部２６２、および連結板２６３が一体形成さ
れている。
具体的には、十位ジャンパ軸部２５２Ａでは、略円盤状の連結板２６３の日車案内板２
１２に対向する面に、断面円形の軸状に形成される第一軸部２６１が設けられ、連結板２
６３の文字板１３に対向する面に断面円形の軸状に形成される第二軸部２６２が設けられ
ている。
ここで、第一軸部２６１は、連結板２６３と同軸上（第一軸中心２６１Ａ）に形成され
ている。一方、第二軸部２６２は、第一軸部２６１に対して偏心し、第一軸中心２６１Ａ
から所定寸法ｄだけ離れた位置に第一軸中心２６１Ａと平行となる第二軸中心２６２Ａを
有している。
【００４２】
また、第一軸部２６１を保持する日車案内板２１２は、第一軸部２６１を圧入保持する
係止孔２１２Ａを備えている。図７は、日車案内板２１２の係止孔２１２Ａの構成を示す
図である。この係止孔２１２Ａは、第一軸部２６１の断面径寸法よりも大きい内径寸法を
有し、内周側に向かって係止突出部２１２Ｂが突出形成されている。これにより、第一軸
部２６１は、係止突出部２１２Ｂと点接触することで、係止孔２１２Ａに圧入固定される
。なお、図７において、円形の係止孔２１２Ａに４つの係止突出部２１２Ｂが形成される
例を示したが、例えば、係止孔２１２Ａが矩形状や、三角形状などの多角形状に形成され
、多角形の内周辺に第一軸部２６１の外周面が点接触する構成などとしてもよい。
また、第二軸部２６２は、十位ジャンパ２５２の基端部に形成される軸保持孔２５２Ｇ
に挿通され、十位ジャンパ２５２を回転可能に保持する。また、第二軸部２６２の頭部に
は、例えばマイナスドライバーなどの調整部材を挿通可能な操作孔２６２Ｂが形成されて
いる。
【００４３】
このような十位ジャンパ軸部２５２Ａでは、第一軸部２６１を、第一軸中心２６１Ａを
中心として回転させると、第二軸部２６２の第二軸中心２６２Ａが第一軸中心２６１Ａを
中心とする半径ｄの円周上を移動する。これにより、図５に示すように、十位ジャンパ軸
部２５２Ａを矢印Ａに示すように回転させて位置調整することで、十位ジャンパ２５２の
十位ジャンパ切り替え部２５２Ｃが矢印Ｂに示すように、十位日車２５１の接線方向に略
沿って進退移動する。したがって、十位ジャンパ切り替え部２５２Ｃのテーパ面２５２Ｅ
，２５２Ｆが十位日車２５１の係合歯２５１Ａを押圧し、十位日車２５１は、矢印Ｃに示
すように回転する。よって、十位日車２５１に連動する十位日板２４０が回転され、十位
日板２４０が位置決めされる位置（停止位置）の微調整が可能となる。
【００４４】
図８は、図２における一位ジャンパ近傍を拡大した拡大平面図である。
一位ジャンパ２３３についても、十位ジャンパ２５２と同様であり、図８に示すように
、一位ジャンパ軸部２３３Ａは、第一軸部２６１と、第一軸部２６１に対して偏心する第
二軸部２６２と、第一軸部２６１および第二軸部２６２を連結する連結板２６３とを備え
、これらの第一軸部２６１、第二軸部２６２、および連結板２６３が一体形成されている
。
また、日車案内板２１２には、十位ジャンパ軸部２５２Ａに対する係止孔２１２Ａと同
様に、一位ジャンパ軸部２３３Ａの第一軸部２６１を保持する図示しない保持孔および係
止突出部が形成され、一位ジャンパ軸部２３３Ａの第一軸部２６１が圧入される。
このような一位ジャンパ軸部２３３Ａでは、第一軸部２６１を、第一軸中心を中心とし
て回転させると、第二軸部２６２の第二軸中心が第一軸中心を中心とする所定半径（半径
ｄ）の円周上を移動する。これにより、図８に示すように、一位ジャンパ軸部２３３Ａを
矢印Ｄのように回転させて調整することで、一位ジャンパ２３３の一位ジャンパ切り替え
部２３３Ｃが矢印Ｅのように一位日車２３２の接線方向に略沿って進退移動する。したが
って、一位ジャンパ切り替え部２３３Ｃのテーパ面２３３Ｅ，２３３Ｆにより一位日車２
３２の一位駆動歯２３２Ａが押圧され、一位日車２３２が矢印Ｆのように回転し、一位日
板２２０も同方向に回転される。
【００４５】
［時計の動作］
次に上述したような時計１の日付の表示動作について説明する。
時計１では、指針駆動機構から時針駆動軸１０２に駆動力が伝達されると、時針駆動軸
１０２の日付駆動伝達歯車１０２Ｂから日回し車２３１に駆動力が伝達され、日回し車２
３１は、１日で１回転する。また、日回し車２３１の日車駆動歯２３１Ａが一位日車２３
２の一位駆動歯２３２Ａに係合し、一位日車２３２を一段階半時計回り方向に進ませる。
この時、指針駆動機構により、時分針が０時０分に移動されるタイミングで、一位ジャン
パ２３３により、一位駆動歯２３２Ａが押し出されて、即座に一位日車２３２が回動され
、一位日車２３２と連動する一位日板２２０も回動する。これにより、一位表示孔２４３
に対向する一位目盛２２１が一日毎に切り替えられる。
【００４６】
また、一位日板２２０の回転駆動により、一位日板２２０の内周面の十位駆動歯２２２
が十位日車２５１の係合歯２５１Ａに係合すると、十位日車２５１にも駆動力が伝達され
、十位日車２５１も半時計回り方向に一段階回動される。この時、一位ジャンパ２３３に
より一位駆動歯２３２Ａが押し出されるタイミングで、十位ジャンパ２５２により、係合
歯２５１Ａが押し出され、即座に十位日車２５１が回動される。すなわち、指針駆動機構
により、時分針が０時０分に移動されるタイミングで、一位日板２２０および十位日板２
４０の双方が同時に回動される。
これにより、日付が「０１日」、「１０日」、および「２０日」に変わる際に、十位日
付表示孔１７に対向する位置に、十位日板２４０の通常十位目盛２４２Ａの各十位の数字
が移動され、また、一位日付表示孔１６に対向する位置に十位日板２４０の通常十位目盛
２４２Ａの一位表示孔２４３が対向して一位日板２２０の一位目盛２２１が移動される。
したがって、十位日付表示孔１７から十位日板２４０の通常十位目盛２４２Ａの十位数字
である「０」、「１」、および「２」のうちいずれかが表示され、一位日付表示孔１６か
ら一位日板２２０の一位目盛２２１の「０」〜「９」の数字のいずれかが表示される。
一方、日付が「３０日」および「３１日」に変わる際には、日付表示窓１５に対向する
位置に十位日板２４０の月末十位目盛２４２Ｂが移動されるため、一位日板２２０が十位
日板２４０により隠される。したがって、十位日付表示孔１７から十位日板２４０の月末
十位目盛２４２Ｂの十位数字である「３」が表示され、一位日付表示孔１６から十位日板
２４０の月末十位目盛２４２Ｂの一位数字である「０」または「１」が表示される。
【００４７】
（一位日板および十位日板の位置調整）
一位日板２２０および十位日板２４０は、一位ジャンパ２３３および十位ジャンパ２５
２により、所定の停止位置に位置決めされ、一位目盛２２１のうちいずれか一つが一位日
付表示孔１６に対向し、十位目盛２４２のうちいずれか一つが十位日付表示孔１７に対向
して表示される。この時、一位目盛２２１の停止位置と十位目盛２４２の停止位置とが、
例えば表示縦方向にずれる場合があり、このような場合、一位日付表示孔１６および十位
日付表示孔１７から表示される一位目盛２２１および十位目盛２４２の停止位置を、適正
な位置に調整する必要がある。
これには、上述したように、一位ジャンパ軸部２３３Ａおよび十位ジャンパ軸部２５２
Ａの第二軸部２６２に形成される操作孔２６２Ｂにマイナスドライバーなどの調整部材を
差込み、一位ジャンパ軸部２３３Ａおよび十位ジャンパ軸部２５２Ａを回転させることに
より、上記のような停止位置の微調整を実施する。
例えば、十位日板２４０の位置調整を実施する場合では、第一軸部２６１を、第一軸中
心２６１Ａを中心として図５の矢印Ａに示すように回転させる。これにより、十位ジャン
パ２５２の十位ジャンパ切り替え部２５２Ｃが矢印Ｂのように移動し、テーパ面２５２Ｅ
，２５２Ｆにより、係合歯２５１Ａが押圧されて、十位日板２４０が矢印Ｃの方向に回転
されて、十位日板２４０の停止位置の微調整が実施可能となる。
一位日板２２０の位置調整においても同様に、図８に示すように、第一軸部２６１を、
第一軸中心２６１Ａを矢印Ｄに示すように回転させると、一位ジャンパ２３３の一位ジャ
ンパ切り替え部２３３Ｃが矢印Ｅのように移動し、テーパ面２３３Ｅ，２３３Ｆにより一
位日車２３２の一位駆動歯２３２Ａが矢印Ｅの方向に押圧される。これにより、一位日板
２２０が回転されて、一位日板２２０の停止位置の微調整が可能となる。
【００４８】
［第一の実施の形態の作用効果］
上述のように、上記第一の実施の形態の時計１では、回転体である一位日板２２０およ
び十位日板２４０を駆動する一位日車２３２および十位日車２５１に対して、それぞれ一
位ジャンパ２３３の一位ジャンパ切り替え部２３３Ｃおよび十位ジャンパ２５２の十位ジ
ャンパ切り替え部２５２Ｃが係合され、一位日板２２０および十位日板２４０の停止位置
が位置決めされている。この一位ジャンパ２３３および十位ジャンパ２５２は、それぞれ
基端部に一位ジャンパ軸部２３３Ａおよび十位ジャンパ軸部２５２Ａにより保持手段であ
る日車案内板２１２に回転可能に保持され、一位ジャンパバネ部２３３Ｂおよび十位ジャ
ンパバネ部２５２Ｂにより、それぞれ自由端側の一位ジャンパ切り替え部２３３Ｃおよび
十位ジャンパ切り替え部２５２Ｃが一位日車２３２および十位日車２５１側に付勢されて
いる。そして、一位ジャンパ軸部２３３Ａおよび十位ジャンパ軸部２５２Ａは、第一軸部
２６１および第一軸部２６１に対して偏心する第二軸部２６２を有し、第一軸部２６１が
日車案内板２１２に回転可能に保持され、第二軸部２６２に一位ジャンパ２３３及び十位
ジャンパ２５２が回転可能に保持されている。
このため、一位ジャンパ軸部２３３Ａや十位ジャンパ軸部２５２Ａを、日車案内板２１
２に対して回転させると、第二軸部２６２の第二軸中心２６２Ａが第一軸部２６１の第一
軸中心２６１Ａを中心とする半径ｄの円周上で回転され、一位ジャンパ切り替え部２３３
Ｃや十位ジャンパ切り替え部２５２Ｃが、一位日車２３２や十位日車２５１に対して揺動
する。これにより、一位ジャンパ切り替え部２３３Ｃのテーパ面２３３Ｅ，２３３Ｆによ
り設定される一位日車２３２の停止位置や、十位ジャンパ切り替え部２５２Ｃのテーパ面
２５２Ｅ，２５２Ｆにより設定される十位日車２５１の停止位置が変化、すなわち一位ジ
ャンパ２３３と一位日車２３２との係合位置、十位ジャンパ２５２と十位日車２５１との
係合位置が変化し、これらの係合位置の変化量に応じて一位日板２２０や十位日板２４０
の停止位置も移動する。したがって、一位ジャンパ軸部２３３Ａおよび十位ジャンパ軸部
２５２Ａのみを回転させて微調整するだけで、一位日板２２０や十位日板２４０の位置調
整を容易に実施することができる。
また、一位日板２２０および十位日板２４０のそれぞれに対してそれぞれ位置調整を実
施することができる。このため、一位日板２２０により表示される一位目盛２２１を十位
目盛２４２に合わせる調整、十位目盛２４２を一位目盛２２１に合わせる調整の他、一位
目盛２２１および十位目盛２４２を一位日付表示孔１６および十位日付表示孔１７の中心
位置に合わせる調整など、各種目盛位置の調整を実施することができる。
【００４９】
また、日車案内板２１２に形成される係止孔２１２Ａ、および４つの突出係止部２１２
Ｂにより、第一軸部２６１の周面は、点接触により保持されている。
このため、一位日板２２０や十位日板２４０の停止位置の調整時において、低トルクで
一位ジャンパ軸部２３３Ａや十位ジャンパ軸部２５２Ａを回転させることができ、調整作
業が容易に実施できる。
【００５０】
［第二の実施の形態］
次に、本発明に係る第二の実施の形態の時計について、図面に基づいて説明する。
図９は、第二の実施の形態の時計の十位日付駆動機構近傍の構成を示す平面図である。
この第二の実施の形態の時計１Ａでは、第一の実施の形態の時計１に対して係合位置調
整手段の構成が異なる。すなわち、上記第一の実施の形態の時計１では、係合位置調整手
段として、一位ジャンパ２３３および十位ジャンパ２５２を台座部である日車案内板２１
２に保持する保持手段である一位ジャンパ軸部２３３Ａおよび十位ジャンパ軸部２５２Ａ
を用いる構成を示した。これに対して、第二の実施の形態では、係合位置調整手段として
、十位ジャンパ２５２を保持する台座部である十位日車案内板２１２Ｄを第二台座部であ
る地板１１０に保持する保持手段を用いる構成を例示する。
【００５１】
すなわち、図９に示すように、第二の実施の形態の時計１Ａでは、日車案内板２１２は
、十位日付駆動機構２５０近傍において、切欠部２１２Ｃが形成され、この切欠部２１２
Ｃに沿って、日車案内板２１２と同一高さ位置に、台座部としての十位日車案内板２１２
Ｄが配置される。
この十位日車案内板２１２Ｄは、十位日車２５１を回転可能に保持する図示しない日車
保持孔と、十位ジャンパ２５２の十位ジャンパ２５２を回動可能に保持する図示しないジ
ャンパ保持孔と、長手状の案内溝２１２Ｅと、当該十位日車案内板２１２Ｄを地板１１０
に保持するための案内係合孔２１２Ｆと、を備えている。また、第二の実施の形態の時計
１Ａでは、十位ジャンパ２５２は、第一の実施の形態と異なり、十位ジャンパ軸部２５２
Ｈにより、十位ジャンパ２５２の軸保持孔２５２Ｇと、十位日車案内板２１２Ｄのジャン
パ保持孔とが同軸となるように保持されるが、第一の実施の形態のような互いに偏心する
２軸を有する十位ジャンパ軸部２５２Ａとする構成としてもよい。
【００５２】
案内溝２１２Ｅは、十位日車案内板２１２Ｄの移動方向に沿って長手状に形成される。
具体的には案内溝２１２Ｅは、図９に示すように、一位日付表示孔１６および十位日付表
示孔１７の並び方向（表示横方向Ｄ１）に対して直交する表示縦方向Ｄ２に沿って長手状
に形成される。また、案内溝２１２Ｅには、地板１１０側から突出する一対の案内突部１
１１が係合される。これにより、十位日車案内板２１２Ｄを表示縦方向に沿って進退可能
となる。
【００５３】
十位日車案内板２１２Ｄの案内係合孔２１２Ｆは、案内溝２１２Ｅの略中央部に連結形
成される略矩形状の孔部である。この案内係合孔２１２Ｆには、保持手段である案内板保
持部材２７０が挿通される。
この案内板保持部材２７０は、第一の実施の形態の一位ジャンパ軸部２３３Ａおよび十
位ジャンパ軸部２５２Ａと略同様の構成を有し、第一軸部２７１と、第二軸部２７２と、
これら第一軸部２７１および第二軸部２７２の間に形成される略円盤状の連結板２７３と
を備え、これら第一軸部２７１、第二軸部２７２、および連結板２７３とが一体形成され
ている。なお、連結板２７３は、上面に十位日車案内板２１２Ｄが載置されることで、十
位日車案内板２１２Ｄを保持する。
また、案内板保持部材２７０において、第一軸部２７１は、地板１１０に形成される図
示しない保持孔に圧入固定される軸部材である。この保持孔は、第一の実施の形態におけ
る係止孔２１２Ａと同様に、複数の突出係止部を有し、例えば４点支持による点接触にて
第一軸部２７１を保持する。
また、第二軸部２７２は、第一軸部２７１に対して偏心して形成されている。そして、
第二軸部２７２は、周面が案内係合孔２１２Ｆの表示縦方向Ｄ２に直交する２辺に当接す
る。これにより、案内板保持部材２７０を、矢印Ｇに示すように、第一軸部２７１を中心
に回動させると、矢印Ｈのように、第二軸部２７２の第二軸中心が第一軸部２７１の第一
軸中心を中心とした所定径寸法の円上を移動する。また、第二軸部２７２は、案内係合孔
２１２Ｆの表示縦方向Ｄ２に直交する２辺のみに当接するため、第一軸中心に対して円運
動する第二軸部２７２のうち、表示縦方向に沿う移動のみを案内係合孔２１２Ｆに伝達で
き、案内板保持部材２７０の回動により、十位日車案内板２１２Ｄは、案内溝２１２Ｅに
沿う表示縦方向Ｄ２に沿って移動する。すなわち、時計１Ａにおける十位ジャンパ切り替
え部２５２Ｃおよび十位日車２５１の係合位置、十位日車２５１、および十位日板２４０
も表示縦方向Ｄ２に沿って移動する。したがって、十位日板２４０に形成される十位目盛
２４２を十位日付表示孔１７に対して表示縦方向に沿って移動させることが可能となる。
【００５４】
なお、第二の実施の形態の時計１Ａにおいて、十位日板２４０の位置調整について説明
したが、一位日板２２０の位置調整についても同様の構成により位置調整することが可能
である。
【００５５】
［第二の実施の形態の作用効果］
上述のように、上記第二の実施の形態の時計１Ａでは、回転体である十位日板２４０を
駆動する十位日車２５１、および十位日車２５１に十位ジャンパ切り替え部２５２Ｃを係
合させて十位日板２４０を所定位置に位置決めする十位ジャンパ２５２が、十位日車案内
板２１２Ｄに回転可能に保持されている。そして、十位日車案内板２１２Ｄは、表示縦方
向Ｄ２に沿うとともに、地板１１０から突出する案内突部１１１が係合される案内溝２１
２Ｅと、案内溝２１２Ｅに連結される矩形上の案内係合孔２１２Ｆとを備えている。そし
て、案内係合孔２１２Ｆには、地板に回転可能に保持される第一軸部２７１、および第一
軸部２７１に対して偏心し、案内係合孔２１２Ｆに係合する第二軸部２７２を備えた案内
板保持部材２７０が係合されている。
このため、案内板保持部材２７０を回転させることで、第二軸部２７２が第一軸部２７
１の第一軸中心を回転中心とした円運動をし、第二軸部２７２に当接する案内係合孔２１
２Ｆを押圧することができる。これにより、十位日車案内板２１２Ｄが、案内溝２１２Ｅ
に沿って移動し、十位ジャンパ２５２、十位日車２５１、および十位日板２４０も表示縦
方向Ｄ２に沿って移動し、十位日付表示孔１７に対する十位目盛２４２の位置を微調整す
ることができる。すなわち、案内板保持部材２７０を回転させるだけで、上記第一の実施
の形態と同様に、容易に十位日板２４０の停止位置の調整を実施することができる。
【００５６】
また、十位日車案内板２１２Ｄは、一位日付表示孔１６から十位日付表示孔１７に向か
う表示横方向Ｄ１に対して直交する表示縦方向Ｄ２に沿って形成され、案内板保持部材２
７０により、十位日車案内板２１２Ｄは、表示縦方向Ｄ２に沿って移動される。
このため、十位日板２４０も表示縦方向Ｄ２に沿って位置調整することができる。した
がって、一位日付表示孔１６に表示される一位目盛２２１に対して、十位日付表示孔１７
に表示される十位目盛２４２が表示縦方向Ｄ２に沿ってずれている場合に、容易に十位目
盛２４２のずれを補正することができる。
【００５７】
また、地板１１０に形成される保持孔、および４つの突出係止部は、第一軸部２７１の
周面を点接触により保持している。
このため、十位日板２４０の停止位置の調整時において、低トルクで案内板保持部材２
７０を回転させることができ、調整作業が容易に実施できる。
【００５８】
〔他の実施の形態〕
なお、本発明は、以上説明した実施の形態に限定されず、本発明の目的を達せられる範
囲で種々の改良、変形が可能である。
【００５９】
例えば、上記第一の実施の形態では、一位日板２２０および十位日板２４０の双方に対
して、停止位置を調整可能としたが、例えばいずれか一方のみの調整が可能な構成であっ
てもよい。この場合でも、調整可能な一方を他方の位置に合わせて調整することで、一位
日付表示孔１６および十位日付表示孔１７から表示される各数字を適正な位置に合わせる
ことができる。
【００６０】
また、第二の実施の形態の時計１Ａにおいて、十位日板２４０の位置調整を実施可能な
構成のみを例示したが、上述したように、一位日板２２０を同様の構成により位置調整可
能な構成としてもよく、双方に対して位置調整可能な構成としてもよい。
さらに、上記実施の形態において、回転体として一位日板２２０または十位日板２４０
を例示し、これらの停止位置を調整可能な構成を示したが、例えば回転体として月齢を表
示させる月齢表示板とし、月齢表示板を駆動させる月齢駆動歯車に対して、月齢ジャンパ
を設け、この月齢ジャンパを上記一位ジャンパ軸部２３３Ａや十位ジャンパ軸部２５２Ａ
、案内板保持部材２７０と同様の構成の保持手段で保持する構成としてもよい。このよう
な場合では、保持手段を回転させることで、月齢表示板の停止位置を調整することが可能
となる。
【００６１】
そして、第二の実施の形態の時計１Ａにおいて、十位日車案内板２１２Ｄに、十位日車
２５１および十位ジャンパ２５２の双方を回転可能に保持する構成としたが、例えば十位
日車２５１および十位ジャンパ２５２のいずれか一方のみを十位日車案内板２１２Ｄに保
持させ、他方を地板１１０に対して固定される日車案内板２１２に保持させる構成として
もよい。例えば十位日車２５１が十位日車案内板２１２Ｄに保持され、十位ジャンパ２５
２が日車案内板２１２に保持される構成では、案内板保持部材２７０の回動により十位日
車案内板２１２Ｄが移動すると、十位日車２５１のみが表示縦方向Ｄ２に沿って移動する
。また、十位日車２５１が日車案内板２１２に保持され、十位ジャンパ２５２が十位日車
案内板２１２Ｄに保持される構成では、案内板保持部材２７０の回動により十位日車案内
板２１２Ｄが移動すると、十位ジャンパ２５２のみが表示縦方向Ｄ２に沿って移動する。
上記の構成では、十位日車２５１と十位ジャンパ２５２の十位ジャンパ切り替え部２５２
Ｃとの係合位置が移動するため、第一の実施の形態と同様に、十位日車２５１の停止位置
が変化し、十位日板２４０の停止位置が調整される。
【００６２】
以上、本発明を実施するための最良の構成について具体的に説明したが、本発明は、こ
れに限定されるものではない。すなわち、本発明は、主に特定の実施形態に関して特に図
示され、かつ、説明されているが、本発明の技術的思想および目的の範囲から逸脱するこ
となく、以上述べた実施形態に対し、当業者が様々な変形および改良を加えることができ
るものである。
【符号の説明】
【００６３】
１、１Ａ…時計、１３…文字板、１６…一位日付表示孔、１７…十位日付表示孔、２０
０…日付表示機構、２２０…回転体としての一位日板、２２１…一位目盛、２３０…位置
決め機構としての一位日付駆動機構、２３２…一位日付駆動歯車としての一位日車、２３
３…一位ジャンパ、２３３Ａ…係合位置調整手段および保持手段としての一位ジャンパ軸
部、２３３Ｂ…一位付勢手段としての一位ジャンパバネ部、２３３Ｃ…一位係止部として
の一位ジャンパ切り替え部、２４０…回転体としての十位日板、２４２…十位目盛、２５
０…位置決め機構としての十位日付駆動機構、２５１…十位日付駆動歯車としての十位日
車、２５２…十位ジャンパ、２５２Ａ…係合位置調整手段および保持手段としての十位ジ
ャンパ軸部、２５２Ｂ…十位付勢手段としての十位ジャンパバネ部、２５２Ｃ…十位係止
部としての十位ジャンパ切り替え部、２６１，２７１…第一軸部、２６２，２７２…第二
軸部、２７０…係合位置調整手段および保持手段としての案内板保持部材。
【図１】
2010223668.tif 000003
【図２】
2010223668.tif 000004
【図３】
2010223668.tif 000005
【図４】
2010223668.tif 000006
【図５】
2010223668.tif 000007
【図６】
2010223668.tif 000008
【図７】
2010223668.tif 000009
【図８】
2010223668.tif 000010
【図９】
2010223668.tif 000011